(57)【要約】【課題】  簡単な構成で、信頼性が高い安価な要介護者用浴槽を提供する。【解決手段】  貯湯タンク７を内蔵したテーブル１の側周部に耐水シート２を折りたたみ配置し、テーブル１の側周部の少なくとも一部には上下移動可能な耐水シート支持部３を設ける。耐水シート２の上端側を耐水シート支持部３に支持して、耐水シート支持部３を上方側に移動することにより、テーブル１上に乗せられる要介護者を耐水シート２が囲む態様となるよう、耐水シート２をテーブル１上に迫り出し、テーブル１上に耐水シート２の浴槽２０を形成し、貯湯タンク７からの湯を給湯機構１０により浴槽２０内に供給する。入浴後、排水部９により排水し、耐水シート支持部３を下方側に移動させて耐水シート２をテーブル１の側周部に折りたたみ配置する。【選択図】        図１
2005095375.tif 000002
【特許請求の範囲】
【請求項１】
貯湯タンクを内蔵したテーブルの側周部に耐水シートが折りたたみ配置され、前記テーブルの側周部の少なくとも一部には上下移動可能な耐水シート支持部が設けられ、前記耐水シートの上端側が前記耐水シート支持部に支持されて、該耐水シート支持部が上方側に移動されることにより前記耐水シートが前記テーブル上に乗せられる要介護者を囲む態様で前記テーブル上に迫り出してテーブル上に前記耐水シートの浴槽が形成され、前記耐水シート支持部が下方側に移動されることにより前記耐水シートがテーブルの側周部に折りたたみ配置される構成と成し、前記貯湯タンクからの湯を前記耐水シートにより形成される浴槽内に供給する給湯機構と、湯の排出部とが設けられていることを特徴とする要介護者用浴槽。
【請求項２】
貯湯タンク内の湯水を加熱する加熱手段と、貯湯タンク内の湯水の温度を検出するタンク内湯水温検出手段と、該タンク内湯水温検出手段により検出されるタンク内湯水検出温度が第１設定温度以下に低下したときに前記加熱手段による貯湯タンク内湯水の加熱を行い、前記タンク内湯水温検出温度が前記第１設定温度より高い第２設定温度に達したときに前記加熱手段による貯湯タンク内湯水の加熱を停止する加熱制御手段とを有することを特徴とする請求項１記載の要介護者用浴槽。
【請求項３】
要介護者を支える背もたれ部がテーブル上に固定配置または着脱自在に配置されていることを特徴とする請求項１または請求項２記載の要介護者用浴槽。
【請求項４】
テーブルの高さは要介護者を移動させる車椅子の座面高さと略一致する高さに形成されていることを特徴とする請求項１または請求項２または請求項３記載の要介護者用浴槽。
【請求項５】
テーブル側周部の少なくとも対向する２面には板状のガイド部が上下移動自在に設けられており、該ガイド部と、該ガイド部の上端側またはガイド部上端側近傍に設けられた耐水シート固定部とを有して耐水シート支持部が形成されていることを特徴とする請求項１乃至請求項４のいずれか一つに記載の要介護者用浴槽。
【請求項６】
給湯機構は貯湯タンクの湯を浴槽内に導く給湯管を有し、該給湯管の先端側は耐水シート支持部の上端側から耐水シートの浴槽内側に給湯する構成と成していることを特徴とする請求項１乃至請求項５のいずれか一つに記載の要介護者用浴槽。
【請求項７】
浴槽壁には湯の循環口が設けられており、湯に空気を加圧溶解させて該空気含有の湯を前記循環口から浴槽内に供給することにより、浴槽内の湯に微細気泡を発生させて浴槽内の湯を濁り湯とする濁り湯発生装置を有することを特徴とする請求項１乃至請求項６のいずれか一つに記載の要介護者用浴槽。
【発明の詳細な説明】
【技術分野】
【０００１】
本発明は、要介護者を入浴させるために用いられる要介護者用浴槽に関するものである。
【背景技術】
【０００２】
介護者に介護されながら入浴しなければ入浴できない要介護者を入浴させるために、以下に示す装置を含め、様々な装置が提案されている（例えば、特許文献１参照。）。
【０００３】
例えば、図５に示す介護用リフターは、要介護者を載せるベッド部３０を有しており、このベッド部３０に載せた要介護者をキャスター３６によって移動して、浴槽近傍に運ぶ装置である。移動の際に、要介護者は手すり３１に捕まり、かつ、ベルト３５によってベッド部３０に固定されるため、安全に運ばれる。この介護用リフターは、ベッド部３０を吊り上げて、要介護者を浴槽上に移動した後に下方側に移動させることにより、要介護者を浴槽内に移動して入浴させることができる。
【０００４】
また、図６に示す浴槽付療養介護ベッドは、浴槽部３２上にベッド部３０を配置しており、通常は、介護ベッドとして用い、要介護者を入浴させるときには、ベッド部３０ごと、要介護者をベッド部３０の下部側の浴槽部３２に沈ませて入浴させるものである。
【０００５】
また、図７に示す要介護者用浴槽は、扉３３を開けることによって、例えば車椅子ごと浴槽部３２に横から入れるように構成されており、要介護者が浴槽部３２に入った後に扉３３を閉め、その後、浴槽部３２に湯を入れて要介護者を入浴させることができる。
【０００６】
さらに、図８に示す組み立て式浴槽は、図示されていない複数の組み立て機材を組み立てて、ビニールプールのようなボート状の浴槽部３２を形成するものである。つまり、ビニール等のチューブに空気を注入して浴槽壁を形成し、浴槽部３２とするものである。
【０００７】
【特許文献１】特開平１０―３３６１９号公報
【発明の開示】
【発明が解決しようとする課題】
【０００８】
しかしながら、図５〜図７にそれぞれ示した装置は、いずれも高価であり、特に、図７の要介護者用浴槽は、車椅子ごと浴槽部３２に横から入れるように構成されていて使用しやすいものの、横に開く扉を閉じた状態のときに浴槽部３２に湯を入れて漏れないようにするために、浴槽部３２と扉３３との密着度を非常に良好に形成しなければならず、非常に高価であるといった問題があった。
【０００９】
また、図８に示した装置は、比較的安価なものの、組み立てや、使用後の分解作業が面倒であり、また、ビニールプールのような浴槽部３２は、例えば施設等で繰り返し使用するには、構造的に頼りないといった問題があった。
【００１０】
本発明は、上記従来の課題を解決するために成されたものであり、その目的は、簡単な構成で、かつ、信頼性が高い安価な要介護者用浴槽を提供することにある。
【課題を解決するための手段】
【００１１】
上記目的を達成するために、本発明は次のような構成をもって課題を解決するための手段としている。すなわち、第１の発明は、貯湯タンクを内蔵したテーブルの側周部に耐水シートが折りたたみ配置され、前記テーブルの側周部の少なくとも一部には上下移動可能な耐水シート支持部が設けられ、前記耐水シートの上端側が前記耐水シート支持部に支持されて、該耐水シート支持部が上方側に移動されることにより前記耐水シートが前記テーブル上に乗せられる要介護者を囲む態様で前記テーブル上に迫り出してテーブル上に前記耐水シートの浴槽が形成され、前記耐水シート支持部が下方側に移動されることにより前記耐水シートがテーブルの側周部に折りたたみ配置される構成と成し、前記貯湯タンクからの湯を前記耐水シートにより形成される浴槽内に供給する給湯機構と、湯の排出部とが設けられている構成をもって課題を解決する手段としている。
【００１２】
また、第２の発明は、上記第１の発明の構成に加え、前記貯湯タンク内の湯水を加熱する加熱手段と、貯湯タンク内の湯水の温度を検出するタンク内湯水温検出手段と、該タンク内湯水温検出手段により検出されるタンク内湯水検出温度が第１設定温度以下に低下したときに前記加熱手段による貯湯タンク内湯水の加熱を行い、前記タンク内湯水温検出温度が前記第１設定温度より高い第２設定温度に達したときに前記加熱手段による貯湯タンク内湯水の加熱を停止する加熱制御手段とを有する構成をもって課題を解決する手段としている。
【００１３】
さらに、第３の発明は、上記第１または第２の発明の構成に加え、要介護者を支える背もたれ部がテーブル上に固定配置または着脱自在に配置されている構成をもって課題を解決する手段としている。
【００１４】
さらに、第４の発明は、上記第１または第２または第３の発明の構成に加え、前記テーブルの高さは要介護者を移動させる車椅子の座面高さと略一致する高さに形成されている構成をもって課題を解決する手段としている。
【００１５】
さらに、第５の発明は、上記第１乃至第４のいずれか一つの発明の構成に加え、前記テーブル側周部の少なくとも対向する２面には板状のガイド部が上下移動自在に設けられており、該ガイド部と、該ガイド部の上端側またはガイド部上端側近傍に設けられた耐水シート固定部とを有して耐水シート支持部が形成されている構成をもって課題を解決する手段としている。
【００１６】
さらに、第６の発明は、上記第１乃至第５のいずれか一つの発明の構成に加え、前記給湯機構は貯湯タンクの湯を浴槽内に導く給湯管を有し、該給湯管の先端側は耐水シート支持部の上端側から耐水シートの浴槽内側に給湯する構成と成している構成をもって課題を解決する手段としている。
【００１７】
さらに、第７の発明は、上記第１乃至第６のいずれか一つの発明の構成に加え、浴槽壁には湯の循環口が設けられており、湯に空気を加圧溶解させて該空気含有の湯を前記循環口から浴槽内に供給することにより、浴槽内の湯に微細気泡を発生させて浴槽内の湯を濁り湯とする濁り湯発生装置を有する構成をもって課題を解決する手段としている。
【発明の効果】
【００１８】
本発明によれば、貯湯タンクを内蔵したテーブルの側周部に折りたたみ配置された耐水シートの上端側が、テーブルの側周部の少なくとも一部に上下移動可能に設けられた耐水シート支持部に支持されて、該耐水シート支持部が上方側に移動されることにより、前記耐水シートが前記テーブル上に乗せられる要介護者を囲む態様でテーブル上に迫り出して、テーブル上に前記耐水シートの浴槽を容易に形成することができる。そして、給湯機構により、貯湯タンクからの湯を浴槽内に供給できる。
【００１９】
また、例えば要介護者の入浴後、浴槽内の湯は湯の排出部により排出でき、前記耐水シート支持部を下方側に移動することにより前記耐水シートがテーブルの側周部に折りたたみ配置されて省スペース化を図ることができる。
【００２０】
つまり、本発明の要介護者用浴槽は、耐水シート支持部により耐水シートを支持して上下移動することにより、耐水シートの浴槽の形成と、耐水シートの折りたたみ配置ができるので、テーブル上に容易に浴槽形成が可能となり、浴槽形成時以外はテーブルの高さで収納でき、テーブル周りに機材を置く必要もないので、省スペース化を図れるし、使い勝手も良好にできる。また、本発明の要介護者用浴槽は、簡単な構成であるために、安価な要介護者用浴槽を実現でき、さらに、形成される浴槽は、耐水シートの上端側を耐水シート支持部により支持して、テーブル上で要介護者を囲む態様と成しているために、信頼性が高い浴槽とすることができる。
【００２１】
また、本発明において、貯湯タンク内の湯水を加熱する加熱手段と、貯湯タンク内の湯水の温度を検出するタンク内湯水温検出手段と、該タンク内湯水温検出手段により検出されるタンク内湯水検出温度に基づいて加熱手段による貯湯タンク内湯水の加熱を制御する加熱制御手段とを有する構成によれば、貯湯タンク内の湯水温度を常に良好に保つことができる。
【００２２】
さらに、本発明において、要介護者を支える背もたれ部がテーブル上に固定配置または着脱自在に配置されている構成によれば、要介護者を背もたれ部により支えた状態で浴槽の形成や耐水シートの折りたたみ配置を行うことができるので、使い勝手をより一層良好にできる。
【００２３】
さらに、本発明において、テーブルの高さは要介護者を移動させる車椅子の座面高さと略一致する高さに形成されている構成によれば、例えば車椅子に座っている要介護者を、本発明の要介護者用浴槽のテーブル上に平行移動によって乗せることができるので、要介護者をテーブル上に容易に乗せることができる。
【００２４】
さらに、本発明において、テーブル側周部の少なくとも対向する２面に上下移動自在に設けたガイド部と、該ガイド部の上端側またはガイド部上端側近傍に設けられた耐水シート固定部とを有して耐水シート支持部が形成されている構成によれば、ガイド部を上下させることにより適切に耐水シートを上下させて、浴槽の形成や耐水シートの折りたたみ配置を行うことができる。
【００２５】
さらに、本発明において、給湯機構は貯湯タンクの湯を浴槽内に導く給湯管を有し、該給湯管の先端側は耐水シート支持部の上端側から耐水シートの浴槽内側に給湯する構成と成している構成によれば、給湯機構による給湯を、より使い勝手良く実現することができる。
【００２６】
さらに、本発明において、濁り湯発生装置を有する構成によれば、微細気泡の発生によって入浴者の血行促進をより一層図ることができるし、浴槽内の湯を濁り湯にして浴槽内の要介護者を見えにくくできるので、より快適な入浴を促すことができる。
【発明を実施するための最良の形態】
【００２７】
以下、本発明の実施の形態を、図面を参照して説明する。図１には、本発明に係る要介護者用浴槽の一実施形態例が示されており、図１（ａ）は、本実施形態例の要介護者用浴槽の斜視図を示し、図１（ｂ）は、その断面構成を示している。これらの図に示すように、本実施形態例の要介護者用浴槽は、貯湯タンク７を内蔵したテーブル１を有し、必要に応じてテーブル１上に浴槽２０を形成可能に構成されている。
【００２８】
つまり、図１（ａ）の実線および図１（ｂ）の右端側に示すように、テーブル１上を覆う態様で設けられた耐水シート２が、テーブル１の側周部に折りたたみ配置され、テーブル１の側周部の少なくとも一部には、上下移動可能な耐水シート支持部３が設けられ、図１（ａ）の破線および図１（ｂ）の左端側に示すように、前記耐水シート２の上端側が耐水シート支持部３に支持されて、耐水シート支持部３が上方側に移動されることにより、耐水シート２が前記テーブル１上に乗せられる要介護者を囲む態様でテーブル１上に迫り出し、テーブル１上に耐水シート２の浴槽２０が形成される。また、耐水シート支持部３を下方側に移動することにより、前記の如く、前記耐水シート２がテーブル１の側周部に折りたたみ配置される構成と成している。
【００２９】
図１（ａ）の実線は、テーブル１上に浴槽２０を形成していない状態を示し、破線はテーブル１上に浴槽２０を形成した状態を示す。また、図１（ｂ）の破線Ｂの右側は、テーブル１上に浴槽２０を形成していない状態を示し、破線Ｂの左側はテーブル１上に浴槽２０を形成した状態を示す。なお、耐水シート２の折りたたみ配置の仕方はこれらの図に限定されることはなく、適宜設定されるものであり、例えば蛇腹状に折りたたむこともできる。
【００３０】
本実施形態例において、テーブル１の側周部の対向する２面には板状のガイド部４が上下移動自在に設けられており、該ガイド部４と該ガイド部４の上端側近傍に設けられた耐水シート固定部としての縁部８とを有して耐水シート支持部３が形成されている。ガイド部４を上下移動することにより、縁部８もガイド部４と共に上下移動して、耐水シート２の上下移動を支持する。
【００３１】
また、耐水シート２は、本実施形態例では、テントや帆布素材等のガラス繊維基布塩化ビニル樹脂含有加工フッ素コーティング材を適用しており、その厚みは０．７ｍｍとしている。なお、耐水シート２の形成材料や厚みは適宜設定されるものであり、耐水シート２の厚みは例えば０．５ｍｍ以上の厚みが好ましい。
【００３２】
また、前記テーブル１上には、要介護者を支える背もたれ部５を有する座椅子６がテーブル上に固定配置されている。なお、この座椅子６は、必要に応じ、人手によって背もたれ部５の角度位置を調節可能に形成されており、背もたれ部５は、例えば介護者が設定した角度位置で保たれる。したがって、浴槽２０の深さや長さ、要介護者の好み等に応じて背もたれ部５の角度を調節すれば、要介護者がテーブル１上に座る態様とすることもできるし、要介護者がテーブル１上に寝そべる態様とすることもできる。
【００３３】
テーブル１の高さは要介護者を移動させる車椅子の座面高さと略一致する高さに形成されており、例えば車椅子に座っている要介護者を、テーブル１上に平行移動によって乗せることができるので、要介護者をテーブル上に容易に乗せることができる。なお、テーブル１の高さは４０ｃｍ前後（３５〜４５ｃｍ程度）が好ましい。
【００３４】
また、本実施形態例の要介護者用浴槽は、貯湯タンク７からの湯を前記耐水シート２により形成される浴槽２０内に供給する給湯機構１０と、湯の排出部９が設けられており、浴槽２０の形成後、浴槽２０内には給湯機構１０によって、貯湯タンク７から浴槽２０内に給湯が行われ、また、要介護者の入浴後、浴槽２０内の湯は、排出部９から外部に適宜排出される。
【００３５】
給湯機構１０は、給湯ポンプ１４と、貯湯タンク７の湯を浴槽２０内に導く給湯管１１を有している。給湯管１１は例えば塩化ビニルパイプにより形成されており、その先端には金属部２５が設けられている。給湯管１１の先端側は、図１（ａ）の矢印Ａに示すように、浴槽２０の内側の位置と浴槽２０内から待避する位置との間で回動自在に設けられており、給湯管１１の先端側は耐水シート支持部３の上端側から耐水シート２の浴槽内側に給湯する構成と成している。
【００３６】
本実施形態例では、給湯機構１０によって、約１〜２分で、貯湯タンク７内の湯を殆ど全部浴槽２０内に給湯できるように構成されている。また、湯の排出は、前記排出部９によって、浴槽２０内の湯を例えば１分以内で排出できるように構成されている。
【００３７】
さらに、前記テーブル１内には、図２（ａ）に示すように、貯湯タンク７内の湯水を加熱するヒータ等の加熱手段１５と、タンク内湯水温検出手段１６と、加熱制御手段１７とを有している。また、貯湯タンク７内の湯を循環させる循環装置（図示せず）が設けられている。
【００３８】
タンク内湯水温検出手段１６は、貯湯タンク７内の湯水の温度を検出するものであり、サーミスタ等により形成されている。加熱手段１５は、貯湯タンク１７の内側（例えば壁面）に設けられている。なお、加熱手段１５を形成するヒータは、電気ヒータでもガスヒータでも石油ヒータでもよいし、また、加熱手段１５はヒータに限定されるものでなく、適宜形成されるものである。また、加熱手段１５の配置位置も適宜設定されるものであり、例えば図２（ｂ）に示すように、貯湯タンク７内の湯水を引き出して循環させる循環機構２６を貯湯タンク７に連通させて設け、この循環機構に加熱手段１５を設けてもよい。
【００３９】
前記加熱制御手段１７は、タンク内湯水温検出手段１６により検出されるタンク内湯水検出温度が予め定めた第１設定温度（例えば５５℃）以下に低下したときに、加熱手段１５による貯湯タンク７内湯水の加熱を行い、タンク内湯水温検出温度１６が前記第１設定温度より高い第２設定温度（例えば６０℃）に達したときに、加熱手段１５による貯湯タンク７内湯水の加熱を停止する。本実施形態例では、この加熱制御によって、貯湯タンク７内の湯水温は常に一定範囲内の温度に保たれるので、貯湯タンク７内の湯水温度を常に良好に保つことができる。
【００４０】
図１（ｂ）、図３（ａ）に示すように、浴槽２０の壁には湯の循環口１３が設けられており、この循環口１３には、図３に示す濁り湯発生装置２１が接続されている。濁り湯発生装置２１は、湯に空気を加圧溶解させて該空気含有の湯を前記循環口１３から浴槽２０内に供給することにより、浴槽内の湯に微細気泡を発生させて浴槽２０内の湯を濁り湯とする装置である。
【００４１】
濁り湯発生装置２１は、例えば図３（ｂ）に示すように、湯水吸込管路４４にポンプ４３の吸込口４０側を連結し、ポンプ４３の吐出口４１側には自吸用分気ボックス４２を設け、この自吸用分気ボックス４２の出側に吐出管路４６を設けて形成されている。湯水吸込管路４４には外気から空気を吸い込む空気導入部２３が設けられている。また、湯水吸込管路４４およびポンプ４３内の湯の逆流を防止する逆止弁（図示せず）が設けられている。
【００４２】
自吸用分気ボックス４２の底面には、ポンプ４３と自吸用分気ボックス４２内との間を連通するノズル４５が上方に向かって形成されている。また、自吸用分気ボックス４２の前記ノズル４５よりも高い位置における側壁には、吐出ポート４９が形成されており、この吐出ポート４９は吐出管路４６に接続されている。また、自吸用分気ボックス４２の上部には、排出口としての還元ポート４７が形成され、還元ポート４７と湯水吸込管路４４との間は還元管路４８によって連通されている。
【００４３】
還元管路４８には、湯水吸込管路４４との合流付近に微細ノズル３８が設けられている。微細ノズル３８は、下部側に行くにつれて縮径する上部ノズルと、この上部ノズル下端と同径のストレート径を有する下部ノズルとを連通して形成されている。
【００４４】
本実施形態例に適用されている濁り湯発生装置２１において、ポンプ４３が駆動すると、浴槽２０内の湯が湯水吸水管路４４を通ってポンプ３内に吸い込まれると共に、空気導入部２３から吸い込まれ、この空気が湯に加圧溶解され、ポンプ４３の吐出口４１からノズル４５を経て自吸用分気ボックス４２に吐出される。そして、ポンプ４３によって加圧溶解されなかった空気は余剰空気として湯から分離され、還元ポート４７から還元管路４８に導かれ、湯水吸込管路４４に還元される。
【００４５】
なお、余剰空気は、還元管路４８から湯水吸込管路４４に還元される際、微細ノズル３８を通ることによってその流動速度が増速され、微細ノズル３８の下端部から勢い良く噴射されて湯に衝突することによって、細分化される。細分化された余剰空気は湯水吸水管路４４内で湯と混合され、再度ポンプ４３内で加圧溶解される。
【００４６】
本実施形態例は以上のように構成されており、耐水シート支持部３を上下移動させること、つまり、ガイド部４を上下させて、縁部８と共に耐水シート２を上下移動させることにより、テーブル１の側周部に折りたたみ配置された耐水シート２の上端側をテーブル１上に迫り出し、テーブル１上に乗せられる要介護者を囲む態様で耐水シート２の浴槽２０を形成したり、耐水シート２をテーブル１の側周部に折りたたみ配置したりできるので、浴槽２０の未使用時には省スペース化を図れ、簡単な構成で使い勝手が良好な要介護者用浴槽を安価に実現できる。
【００４７】
また、形成される浴槽２０は、耐水シート２の上端側を耐水シート支持部３により支持して、テーブル１上で要介護者を囲む態様と成しているために、信頼性が高い浴槽とすることができる。
【００４８】
また、本実施形態例では、耐水シート２により形成した浴槽２０内に、給湯機構１０によって貯湯タンク７から湯を迅速に供給し、要介護者の入浴をスムーズに行うことができるし、入浴後は、浴槽２０内の湯を排出部９により迅速に排出して、耐水シート２を折りたたみ配置することができるので、入浴に伴って、入浴者に寒い思いをさせてしまう等の不快感を与えずに、快適に入浴させることができる。
【００４９】
また、本実施形態例では、要介護者を支える背もたれ部５がテーブル１上に固定配置されているので、要介護者を背もたれ部５により支えた状態で浴槽２０の形成や耐水シートの折りたたみ配置を行うことができ、使い勝手をより一層良好にできる。
【００５０】
さらに、本実施形態例によれば、テーブル１の高さは要介護者を移動させる車椅子の座面高さと略一致する高さに形成されているので、例えば車椅子に座っている要介護者を本実施形態例の要介護者用浴槽のテーブル１上に平行移動によって乗せることができ、要介護者をテーブル１上に容易に乗せたり、テーブル１から降ろしたりすることができる。
【００５１】
さらに、本実施形態例によれば、給湯機構１０の給湯管１１の先端側は耐水シート支持部３の上端側から耐水シート２の浴槽２０内側に給湯する構成と成しているので、給湯機構１０による給湯を、より使い勝手良く実現することができる。
【００５２】
特に、本実施形態例では、給湯管１１の先端側が、浴槽２０の内側の位置と浴槽２０内から待避する位置との間で回動自在に設けられているので、給湯を行わないときには給湯管１１をガイド部４に沿って配置することにより、要介護者をテーブル１上に乗せたり、テーブル１から車椅子等に移動させたりする作業時に給湯管１１の先端側がじゃまになることもなく、より一層使い勝手を良くできる。
【００５３】
さらに、本実施形態例によれば、濁り湯発生装置２１を設けているので、微細気泡の発生によって入浴者の血行促進をより一層図ることができるし、浴槽２０内の湯を濁り湯にして浴槽２０内の要介護者を見えにくくできるので、より快適な入浴を促すことができる。
【００５４】
なお、本発明は上記実施形態例に限定されることはなく、様々な態様を採り得る。例えば、上記実施形態例では、テーブル１上を覆う態様で設けられた耐水シート２を、テーブル１の側周部に折りたたみ配置したが、耐水シート２は必ずしもテーブル１上を覆う態様で設けるとは限らず、耐水シート２はテーブル１上を覆わずに、テーブル１の側周部に耐水シート２の下端部を固定して設けてもよい。
【００５５】
また、上記実施形態例では、耐水シート支持部３はテーブル側周部の対向する２面に設けたガイド部４とガイド部４の上端側近傍に設けた縁部８を有する構成としたが、例えば縁部８を省略して耐水シート２の上端側をガイド部４の上端側に直接固定し、この固定部を耐水シート固定部としてもよいし、テーブル１の４角に棒状のガイド部を上下移動自在に設け、このガイド部上端側または上端側近傍に耐水シート固定部を設けてもよい。
【００５６】
また、ガイド部４を、テーブル１の側周部の３面または４面に設けてもよいし、テーブル側周部の１面に設けて、このガイド部に、枠形状の縁部を固定して設けてもよく、耐水シート支持部３の構成は適宜設定されるものである。
【００５７】
図４の（ａ）には、上下移動自在のガイド部４を１面に形成した要介護者用浴槽の一例が示されており、この例では、図の手前側のガイド部４のみが上下方向に移動する。この場合、この上下移動自在のガイド部４が図の実線のように下方側に配置されるときは、耐水シート２の上端が斜めに配置されることになるので、ガイド部４の移動に対応させて、図４（ａ）のＣに示す寸法とＤに示す寸法との差分を吸収する構成を、同図のＡ、Ｂに示すような角部の少なくとも一方に設けることが好ましい。
【００５８】
つまり、例えば図４（ｄ）に示すような構成を有して水平方向に伸縮するスライダ部２８を、図４（ａ）のＢに示した角部に設けると、図４（ｂ）に示すように、ガイド部４が下方側に配置されているときにはスライド部２８が伸びて縁部８と耐水シート２がガイド部４から離れた位置に配置され、ガイド部４を上方側に移動すると、図４（ｃ）に示すように、スライド部２８が縮んで縁部８がガイド部４内に収容され、耐水シート２がピンと張られた状態で耐水シート２の浴槽２０が形成される。なお、図４（ａ）のＣに示す寸法とＤに示す寸法との差分を吸収する構成は、図４（ｂ）〜（ｄ）に限定されることはなく、適宜設定されるものである。
【００５９】
さらに、ガイド部４は、２段または３段あるいは４段以上の多段に形成してもよい。
【００６０】
さらに、上記実施形態例では、背もたれ部５を有する座椅子６をテーブル１上に固定配置したが、座椅子６を設けずに背もたれ部５のみを固定配置してもよいし、背もたれ部５はテーブル１上に固定配置せずに着脱自在に配置してもよい。また、上記実施形態例では、背もたれ部５の角度を調節可能としたが、背もたれ部５は角度調節可能とは限らず、固定角度としてもよい。また、背もたれ部５は省略することもできるが、背もたれ部５を設けると、要介護者を背もたれ部５により支えた状態で浴槽２０の形成や耐水シートの折りたたみ配置を行うことができるので、使い勝手をより一層良好にできる。
【００６１】
さらに、上記実施形態例では、テーブル１の高さは要介護者を移動させる車椅子の座面高さと略一致する高さに形成したが、テーブル１の高さは特に限定されるものでなく、適宜設定されるものである。
【００６２】
さらに、上記実施形態例では、給湯機構１０の給湯管１１の先端側は耐水シート支持部３の上端側から耐水シート２の浴槽２０内側に給湯する構成とし、かつ、給湯管１１の先端側を、浴槽２０の内側の位置と浴槽２０内から待避する位置との間で回動自在に設けたが、給湯管１１の先端側は回動するとは限らず、固定的に設けられていてもよい。また、給湯管１１の先端側をシャワーヘッドとの切り替え可能としてもよく、給湯管１１の構成は適宜設定されるものである。
【００６３】
さらに、浴槽壁に設ける循環口１３は、浴槽底面、浴槽側面のいずれであっても構わない。浴槽側面に循環口１３を設ける場合は、例えば浴槽壁面の高さの半分位の位置に循環口１３を設け、注湯しながら、注湯済みの湯を濁り湯発生装置２１により白濁させれば、入浴者の下半身等を速やかに隠すことができるので、入浴者がより快適に入浴できる。
【００６４】
さらに、上記実施形態例では、図３（ａ）、（ｂ）に示す構成の濁り湯発生装置２１を設けたが、濁り湯発生装置２１の構成は、図３（ａ）、（ｂ）に示した構成に限定されることはなく、様々な構成を適用することができるものである。また、濁り湯発生装置２１は省略することもできる。
【００６５】
さらに、上記実施形態例では、貯湯タンク７に外部から湯を入れ、この湯の温度が一定温度以下に低下したときには、加熱手段１５によって加熱して保温するようにしたが、水を入れて、加熱手段１５によって加熱し、湯を形成してもよい。
【図面の簡単な説明】
【００６６】
【図１】本発明に係る要介護者用浴槽の一実施形態例を模式的に示す斜視説明図（ａ）と断面説明図（ｂ）である。
【図２】上記実施形態例の要介護者用浴槽の保温構成（ａ）とその他の保温構成例（ｂ）を示すブロック図である。
【図３】上記実施形態例に設けられている濁り湯発生装置の構成を示す説明図である。
【図４】本発明に係る要介護者用浴槽の他の実施形態例の構成と、その細部構成の一部を模式的に示す説明図である。
【図５】介護用リフターの一例を示す説明図である。
【図６】従来提案された浴槽付療養介護ベッドの一例を示す説明図である。
【図７】従来提案された要介護者用浴槽の一例を示す説明図である。
【図８】従来提案された組み立て式浴槽の一例を示す説明図である。
【符号の説明】
【００６７】
１  テーブル
２  耐水シート
３  耐水シート支持部
４  ガイド部
５  背もたれ部
６  座椅子
７  貯湯タンク
８  縁部
９  排出部
１０  給湯機構
１３  循環口
１４  ポンプ
【図１】
2005095375.tif 000003
【図２】
2005095375.tif 000004
【図３】
2005095375.tif 000005
【図４】
2005095375.tif 000006
【図５】
2005095375.tif 000007
【図６】
2005095375.tif 000008
【図７】
2005095375.tif 000009
【図８】
2005095375.tif 000010